(57)【要約】【課題】  高い把持力を発揮でき、締結手段を締め過ぎてもコネクタ要素の破断が生じない、安全性と耐久性とを兼ね備えた新規なプロファイル用コネクタを提供すること。【解決手段】  各コネクタ要素の軸方向一端には第１プロファイルの被把持部の片側端に係合する把持爪部と分割面を備えた頭部が設けられ、軸方向他端には第２プロファイル内に挿入されて第２プロファイルの内周面に押圧され螺線状係合面を備えた押圧部が設けられ、分割面を対向・配置させ螺旋状係合面を係合させて組み合わせ、各把持爪部を第１プロファイルの被把持部を挟むように位置させ各押圧部を第２プロファイルの一端面から内部に挿入し、一対のコネクタ要素を締結手段によって締結・固定して、把持爪部を相互に接近させて第１プロファイルの被把持部を把持し、押圧部の外周面を相互に離間させて第２プロファイルの内周面に押し当てて内方から把持するようにしたもの。【選択図】  図５
2014084926.tif 000002
【特許請求の範囲】
【請求項１】
中空状をなし外周面に被把持部を備えた第１プロファイルに対して同じく中空状をなし外周面に被把持部を備えた第２プロファイルを垂直に当接させて連結・固定する際に使用するプロファイル用コネクタにおいて、
一対のコネクタ要素からなり、
上記各コネクタ要素の軸方向一端には上記第１プロファイルの被把持部の片側端に係合する把持爪部と分割面を備えた頭部が設けられ、
上記各コネクタ要素の軸方向他端には上記第２プロファイル内に挿入されて上記第２プロファイルの内周面に押圧されると共に螺線状係合面を備えた押圧部が設けられ、
上記各コネクタ要素をそれぞれの頭部の分割面を対向・配置させるとともに押圧部の螺旋状係合面を係合させた状態で組み合わせ、
上記各把持爪部を上記第１プロファイルの被把持部を挟むように位置させる共に上記各押圧部を上記第２プロファイルの一端面からその内部に向けて挿入し、
上記一対のコネクタ要素を締結手段によって締結・固定することにより、各コネクタ要素の把持爪部を相互に接近させて上記第１プロファイルの被把持部を両側から把持し、一方、各コネクタ要素の押圧部の外周面を相互に離間させて上記第２プロファイルの内周面に押し当てて内方から把持し、
それによって、第１プロフィルに対して第２プロファイルを垂直に当接させて連結・固定するようにしたことを特徴とするプロファイル用コネクタ。
【請求項２】
請求項１記載のプロファイル用コネクタにおいて、
上記第２プロファイルの内周面には係合凹部が設けられていて、一方、上記一対のコネクタ要素の押圧部の外周面には上記係合凹部に係合する係合凸部が設けられていることを特徴とするプロファイル用コネクタ。
【請求項３】
請求項１又は２記載のプロファイル用コネクタにおいて、
上記締結手段は、上記各コネクタ要素の上記把持爪部が設けられている頭部を締結するボルト・ナットであることを特徴とするプロファイル用コネクタ。
【請求項４】
請求項１〜３の何れかに記載のプロファイル用コネクタにおいて、
上記押圧部の螺旋状係合面は、上記把持爪部が設けられている頭部と上記押圧部の境界から出発して、上記頭部の分割面を挟んでその反対側に張り出すように延び、上記押圧部の終端面では、上記押圧部の基端面と１８０°角度を異ならせて位置するように形成されていることを特徴とするプロファイル用コネクタ。
【請求項５】
請求項１〜４の何れかに記載のプロファイル用コネクタにおいて、
上記一対のコネクタ要素の上記把持爪部が設けられている頭部の対向するそれぞれの分割面を当接させると、上記頭部の分割面を挟んでその反対側に位置している上記押圧部の外周面がそれぞれ所定の張出し量だけ外方に突出し、
一方、一対のコネクタ要素の押圧部の対向するそれぞれの螺旋状係合面を係合・当接させると、上記頭部の対向するそれぞれの分割面が上記押圧部の張出し量に対応した所定の移動量、外方に移動して両者の間に隙間ができるように構成されていることを特徴とするプロファイル用コネクタ。
【請求項６】
請求項１〜５の何れかに記載のプロファイル用コネクタにおいて、
上記一対のコネクタ要素は、同一形状、同一サイズのコネクタ要素によって構成されていることを特徴とするプロファイル用コネクタ。
【発明の詳細な説明】
【技術分野】
【０００１】
本発明は、中空状をなす第１プロファイルに中空状をなす第２プロファイルを垂直に当接させた状態で連結・固定する際に使用する一対のコネクタ要素からなるプロファイル用コネクタに係り、特に一対のコネクタ要素の押圧部の係合面の形状に特徴を有するプロファイル用コネクタに関する。
【背景技術】
【０００２】
下記の特許文献１に示すように、中空状をなす第１プロファイルに中空状をなす第２プロファイルを垂直に当接させた状態で連結・固定する際に使用する一対のコネクタ要素からなるプロファイル用コネクタが種々発案されている。  
そして、特許文献１に開示されているプロファイル用コネクタは、対向・配置された一対のコネクタ要素をボルト・ナットを締め付けることによって接近させ、上記各コネクタ要素の軸方向一端に設けられている爪部によって上記第１プロファイルの外周面に突設されている外ウェブを外方から把持するようにしている。  
【０００３】
又、上記各コネクタ要素の軸方向他端にはクランプジョが延びており、対向・配置された一対のクランプジョによって上記第２プロファイルの内周面に突設されている内ウェブを同じく外方から把持するようにしている。  
したがって、特許文献１では、対向・配置された上記一対の爪部と、同じく対向・配置された上記一対のクランプジョとを、共に接近させることで上記第１プロファイルと第２プロファイルの連結・固定を図っている。
【０００４】
又、図１１乃至図１３に示すような構造のプロファイル用コネクタも提案されている。このプロファイル用コネクタ１０１は、第１プロファイルを把持するための構成としては、上述した特許文献１に開示されているのと同様の爪部１０３を備えた構成が採用されている。  
一方、第２プロファイルを把持するための構成としては、上記爪部１０３を有するコネクタ要素１０２の頭部１０５から軸方向Ｙの他端に向って延びる扇形断面の首部１０７と、該首部１０７から上記頭部１０５の分割面１０６を挟んでその反対側に延び、さらに軸方向Ｙの他端に向って延長形成されている半円形断面の押圧部１０９とを備える構成が採用されている。
【０００５】
具体的には、このようにして構成されるプロファイル用コネクタ１０１では、分割面１０６、１０６を挟んで対向・配置されている頭部１０５、１０５に設けられている一対の爪部１０３、１０３がＣ方向に接近することで第１プロファイル１１１の外周面１１２に突設されている被把持部１１３を外方から把持している。
一方、分割面１０６を挟んで反対側に位置する上記一対の押圧部１０９、１０９は、上記Ｃ方向に移動する爪部１０３、１０３の動きによってＤ方向に離間するようになり、第２プロファイル１１５の内周面１１６に当接して該内周面１１６を外方に押し拡げるようにして該第２プロファイル１１５を把持している。
【先行技術文献】
【特許文献】
【０００６】
【特許文献１】特表２００２−５３１７９４号公報
【発明の概要】
【発明が解決しようとする課題】
【０００７】
しかし、上記特許文献１に開示されているプロファイル用コネクタの場合には、構造上、第２プロファイル側の把持力をあまり高く設定することができず、使用中の振動や衝撃等によって第２プロファイルの連結・固定状態が解除されて脱落してしまうおそれが懸念された。  
一方、図１１乃至図１３に開示されているプロファイル用コネクタ１０１の場合には、第１プロファイル１１１と第２プロファイル１１５の双方で高い把持力が期待できるが、締結手段であるボルト・ナットを締め過ぎると断面積の小さな（１／４円の大きさ）首部１０７、１０７に負荷が掛かって、該首部１０７、１０７でコネクタ要素１０２、１０２が破断するおそれがあった。
【０００８】
本発明はこのような点に基づいてなされたものでその目的とするところは、第１プロファイルと第２プロファイルの双方で高い把持力を発揮でき、締結手段を締め過ぎてもコネクタ要素の破断が生じない、安全性と耐久性とを兼ね備えた新規なプロファイル用コネクタを提供することにある。
【課題を解決するための手段】
【０００９】
上記目的を達成するべく本願発明の請求項１によるプロファイル用コネクタは、中空状をなし外周面に被把持部を備えた第１プロファイルに対して同じく中空状をなし外周面に被把持部を備えた第２プロファイルを垂直に当接させて連結・固定する際に使用するプロファイル用コネクタにおいて、一対のコネクタ要素からなり、上記各コネクタ要素の軸方向一端には上記第１プロファイルの被把持部の片側端に係合する把持爪部と分割面を備えた頭部が設けられ、  上記各コネクタ要素の軸方向他端には上記第２プロファイル内に挿入されて上記第２プロファイルの内周面に押圧されると共に螺線状係合面を備えた押圧部が設けられ、上記各コネクタ要素をそれぞれの頭部の分割面を対向・配置させるとともに押圧部の螺旋状係合面を係合させた状態で組み合わせ、上記各把持爪部を上記第１プロファイルの被把持部を挟むように位置させる共に上記各押圧部を上記第２プロファイルの一端面からその内部に向けて挿入し、上記一対のコネクタ要素を締結手段によって締結・固定することにより、各コネクタ要素の把持爪部を相互に接近させて上記第１プロファイルの被把持部を両側から把持し、一方、各コネクタ要素の押圧部の外周面を相互に離間させて上記第２プロファイルの内周面に押し当てて内方から把持し、それによって、第１プロフィルに対して第２プロファイルを垂直に当接させて連結・固定するようにしたことを特徴とするものである。
又、請求項２によるプロファイル用コネクタは、請求項１記載のプロファイル用コネクタにおいて、上記第２プロファイルの内周面には係合凹部が設けられていて、一方、上記一対のコネクタ要素の押圧部の外周面には上記係合凹部に係合する係合凸部が設けられていることを特徴とするものである。
又、請求項３によるプロファイル用コネクタは、請求項１又は２記載のプロファイル用コネクタにおいて、上記締結手段は、上記各コネクタ要素の上記把持爪部が設けられている頭部を締結するボルト・ナットであることを特徴とするものである。
又、請求項４によるプロファイル用コネクタは、請求項１〜３の何れかに記載のプロファイル用コネクタにおいて、上記押圧部の螺旋状係合面は、上記把持爪部が設けられている頭部と上記押圧部の境界から出発して、上記頭部の分割面を挟んでその反対側に張り出すように延び、上記押圧部の終端面では、上記押圧部の基端面と１８０°角度を異ならせて位置するように形成されていることを特徴とするものである。
又、請求項５によるプロファイル用コネクタは、請求項１〜４の何れかに記載のプロファイル用コネクタにおいて、上記一対のコネクタ要素の上記把持爪部が設けられている頭部の対向するそれぞれの分割面を当接させると、上記頭部の分割面を挟んでその反対側に位置している上記押圧部の外周面がそれぞれ所定の張出し量だけ外方に突出し、一方、一対のコネクタ要素の押圧部の対向するそれぞれの螺旋状係合面を係合・当接させると、上記頭部の対向するそれぞれの分割面が上記押圧部の張出し量に対応した所定の移動量、外方に移動して両者の間に隙間ができるように構成されていることを特徴とするものである。
又、請求項６によるプロファイル用コネクタは、請求項１〜５の何れかに記載のプロファイル用コネクタにおいて、上記一対のコネクタ要素は、同一形状、同一サイズのコネクタ要素によって構成されていることを特徴とするものである。
【発明の効果】
【００１０】
したがって、本発明によるプロファイル用コネクタによると、第１プロファイル側の固定を、対向する一対の把持爪部を相互に接近させて第１プロファイルの外周面の被把持部を把持することによって行い、第２プロファイル側の固定を、対向する一対の押圧部を相互に離間させて第２プロファイルの内周面を内方から押し拡げることによって行っているから、第１プロファイルと第２プロファイルの双方で高い把持力が発揮されて、第１プロファイルと第２プロファイルの連結・固定状態の不用意な解除が防止される。  
又、上記一対の押圧部に互いに合致させた状態で組み合わされる螺旋状係合面を設けたことにより、従来のプロファイル用コネクタに設けられていた断面積が小さく応力が集中し易い首部を省略して、断面積が軸方向の基端部から終端部にかけて一様で必要な大きさの断面積を確保することができ、破損のおそれのない耐久性に優れたプロフィル用コネクタを提供できるようになる。  
又、上記第２プロファイルの内周面に係合凹部を設け、上記一対のコネクタ要素の押圧部の外周面に上記係合凹部に係合する係合凸部を設けた場合には、押圧部による第２プロファイルの把持力が向上し、押圧部の外周面に対する第２プロファイルの内周面の周方向の回転も防止される。  
又、上記締結手段を、上記各コネクタ要素の把持爪部が設けられている頭部を締結するボルト・ナットによって構成した場合には、締結手段を安価に簡単な構造で構成でき、ボルト・ナットの締め付け具合を調節することで上記把持爪部の内方への移動量と上記押圧部の外方への移動量を可変して第１プロファイルと第２プロファイルの必要な連結・固定状態を得ることができる。  
又、上記押圧部の螺旋状係合面を上記把持部が設けられている頭部と上記押圧部の境界面から出発して、上記頭部の分割面を挟んでその反対側に張り出すように延び、上記押圧部の終端面で上記基端面と１８０°角度を異らせて位置するように形成した場合には、押圧部の有する上記高い剛性を確保しつつ、第２プロファイルの内周面に直接当接する上記押圧部の外周面を上記頭部から離間した当該押圧部の終端面寄りの部位に設定できるから、第１プロファイルと第２プロファイルの連結・固定状態が更に確実になって安定する。
又、上記一対の頭部の対向するそれぞれの分割面を当接させると、上記押圧部の外周面がそれぞれ所定の張出し量、外方に突出し、一方、上記一対の押圧部の対向するそれぞれの螺旋状来周面を当接させると、上記頭部の対向するそれぞれの分割面が上記張出し量に対応した所定の移動量、外方に移動して両者の間に隙間ができるように構成した場合には、上記押圧部の張出し量と上記頭部の移動量の範囲で第１プロファイルの被把持部に対する把持状態と把持解除状態とを切り替えることができ、第２プロファイルの内周面に対する押圧状態と押圧解除状態とを切り替えることができるようになる。  
又、上記一対のコネクタ要素を同一形状、同一サイズのコネクタ要素によって構成した場合には、部品の共通化によって製品コストを低く抑えることが可能になり、プロファイル用コネクタの組立て時の誤装着による組立てロスをなくして、効率の良い組み立てを可能にする。
【図面の簡単な説明】
【００１１】
【図１】本発明の一実施の形態を示す図で、プロファイル用コネクタを使用して第１プロファイルと第２プロファイルを連結・固定した状態を示す斜視図である。
【図２】本発明の一実施の形態を示す図で、プロファイル用コネクタを使用して第１プロファイルと第２プロファイルを連結・固定する様子を示す分解斜視図である。
【図３】本発明の一実施の形態を示す図で、図３（ａ）はプロファイル用コネクタの一対のコネクタ要素、第１プロファイル、第２プロファイル及び締結手段を示す分解斜視図、図３（ｂ）はコネクタ要素を外側からみた斜視図、図３（ｃ）はコネクタ要素を内側から見た斜視図である。
【図４】本発明の一実施の形態を示す図で、プロファイル用コネクタを使用して第１プロファイルと第２プロファイルを連結・固定した状態を示す正面図である。
【図５】本発明の一実施の形態を示す図で、プロファイル用コネクタを使用して第１プロファイルと第２プロファイルを連結・固定した状態を示す図３中のＩＶ−ＩＶ断面図である。
【図６】本発明の一実施の形態を示す図で、プロファイル用コネクタを組み立てた状態を示す斜視図である。
【図７】本発明の一実施の形態を示す図で、プロファイル用コネクタを組み立てた状態を示す正面図である。
【図８】本発明の一実施の形態を示す図で、プロファイル用コネクタを組み立てた状態を示す背面図である。
【図９】本発明の一実施の形態を示す図で、図９（ａ）はプロファイル用コネクタを組み立てた状態であって連結・固定解除状態を示す側面図、図９（ｂ）はプロファイル用コネクタを組み立てた状態であって連結・固定状態の側面図である。
【図１０】本発明の一実施の形態を示す図で、図１０（ａ）はプロファイル用コネクタを組み立てた状態であって連結・固定解除状態を示す平面図、図１０（ｂ）はプロファイル用コネクタを組み立てた状態であって連結・固定状態の底面図である。
【図１１】従来例を示す図で、プロファイル用コネクタを組み立てた状態を示す正面図である。
【図１２】従来例を示す図で、プロファイル用コネクタを使用して第１プロファイルと第２プロファイルを連結・固定しようとする状態を示す側面図である。
【図１３】従来例を示す図で、プロファイル用コネクタを組み立てた状態を示す底面図である。
【発明を実施するための形態】
【００１２】
以下、図１乃至図１０を参照して本発明の一実施の形態によるプロファイル用コネクタの構造と、その組立て手順と作動態様について説明する。  
本実施の形態によるプロファイル用コネクタ１は、中空状をなし外周面３に被把持部５を備えた第１プロファイル７に対して、同じく中空状をなし外周面３に被把持部５を備えた第２プロファイル９を垂直に指向させて連結・固定する際に使用される。
【００１３】
（１）プロファイル用コネクタの構造
本実施の形態では、第１プロファイル７と第２プロファイル９は長さが適宜で同一形状、同一サイズの部材によって構成されており、一例としてアルミニウム製の丸パイプ状の部材によって構成されている。  
又、上記第１プロファイル７と第２プロファイル９のそれぞれの外周面３に形成されている被把持部５は、例えば、図５に示すように、外方に突設された略扁平に近い円弧状の凸部で、被把持部５の外方先端部のコーナ部には、左右側方に幾分張り出すようにエッジ１１、１１が形成されている。  
そして、本実施の形態では、上記被把持部５が対向するように一例として９０°間隔で４つ設けられている。
【００１４】
又、上記被把持部５の内側の第１プロファイル７と第２プロファイル９の内周面には、係合凹部１３が、上記被把持部５に対応して４つ設けられている。そして、上記係合凹部１３には、後述する一対のコネクタ要素２３における押圧部１７の外周面１９に設けられている係合凸部２１が内側から係合するように構成されている。
尚、上記係合凹部１３と係合凸部２１は、上記被把持部５に対応して略偏平に近い円弧状をした一回り小さな凹部と凸部によって構成されている。
【００１５】
又、このような第１プロファイル７に第２プロファイル９を垂直に指向させた姿勢で連結・固定する本実施の形態のプロファイル用コネクタ１は、一対のコネクタ要素２３、２３からなり、各コネクタ要素２３、２３のＹ軸方向の一端には上記第１プロファイル２３の被把持部５の片側のエッジ１１に係合する把持爪部２５を備える頭部２７が設けられている。  
又、上記各コネクタ要素２３のＹ軸方向の他端には上記頭部２７に一体に設けられ、上記第２プロファイル９内に挿入されて上記第２プロファイル９の内周面２９に押圧されると共に螺旋状係合面３１を備えた押圧部１７が設けられている。
【００１６】
上記頭部２７は、一例として内側面が平坦な分割面３３によって形成され、外表面３５が曲面によって形成され、上端面３７と下端面３９が略半円形状の平坦面によって形成されている略半円柱形状の部材によって構成されている。  
そして、上記分割面３３の中央には、締結手段４１の一例であるボルト４２の軸部４２ａを受け入れる取付け穴４５が上記外表面３５の中央に向けてＹ軸方向と直交する方向に貫通状態で設けられている。
【００１７】
又、上記取付け穴４５が貫通している頭部２７の外表面３５には、上記ボルト４２の頭部４２ｂまたは締結手段４１の一例であるナット４３を受け入れる上記取付け穴４５よりも口径の大きな所定深さの収容凹部４７が形成されている。  
又、上記頭部２７の上端面３７の外周側の部位には、Ｙ軸方向の一端側に突出する一例として側面視三角形状をした凸部４９が設けられており、該凸部４９の内側の壁面から内方に突出するように一例として半円形断面をした上述した把持爪部２５が上記凸部４９の一例として全幅に亘って形成されている。
【００１８】
一方、押圧部１７は、上記頭部２７との境界面である基端面５１から終端面５３に向かって螺旋状係合面３１が設けられている。そして、上記螺旋状係合面３１は、上記把持爪部２５が設けられている頭部２７との境界面である上述した基端面５１から出発して、上記頭部２７の分割面３３を挟んでその反対側に張り出すように延び、上記終端面５３において、上記基端面５１と１８０°角度を異ならせて位置するように螺旋状に捩られた状態で形成されている。
【００１９】
又、上記頭部２７の分割面３３を挟んでその反対側に張り出して位置している上記押圧部１７の終端面５３寄りの外周面１９には、上述した係合凸部２１が形成されている。  
そして、このようにして構成されている一対のコネクタ要素２３、２３をそれぞれの分割面３３、３３を対向・配置させるとともに、それぞれの螺旋状係合面３１、３１を係合させ、ボルト４２とナット４３で締結すると、図６乃至図１０に示すように、Ｙ軸方向の一端寄りに一例として円柱形状をした頭部２７が位置し、Ｙ軸方向の他端寄りに上記頭部２７よりも一回り小さな同じく一例として円柱形状をした押圧部１７が位置する本実施の形態によるプロファイル用コネクタ１が組み上げられる。
【００２０】
（２）プロファイル用コネクタの組立て手順と作動態様
次に、このようにして構成されるプロファイル用コネクタ１を使用して第１プロファイル７と第２プロファイル９を連結・固定する場合の組立て手順と作動態様を（Ａ）連結・固定解除時と（Ｂ）連結・固定時に分けて具体的に説明する。  
（Ａ）連結・固定解除時（図９（ａ）及び図１０（ａ）参照）
第１プロファイル７の外周面３の被把持部５に、ボルト４２とナット４３で緩く締結された状態の本実施の形態のプロファイル用コネクタ１における把持爪部２５、２５を係合させる場合と、第２プロファイル９の内部に、ボルト４２とナット４３で緩く締結された状態の本実施の形態のプロファイル用コネクタ１における押圧部１７、１７を第２プロファイル９の一端面から挿入する場合には、図９（ａ）及び図１０（ａ）に示すように、本実施の形態のプロファイル用コネクタ１を連結・固定解除状態にしてそれぞれの作業を実施する。
【００２１】
連結・固定解除状態は、一対のコネクタ要素２３、２３のそれぞれの押圧部１７、１７の対向するそれぞれの螺旋状係合面３１、３１を係合・当接させた図９（ａ）に示す状態であり、この状態では、上記頭部２７、２７の対向・配置されたそれぞれの分割面３３、３３が後述する押圧部１７、１７の張出し量Ｔに対応した所定の移動量、外方に移動して両者の間に上記張出し量Ｔの２倍の隙間Ｓが図１０（ａ）に示すように形成される。
【００２２】
そして、この状態では、対向・配置される一対の把持爪部２５、２５間の間隔が第１プロファイル７の被把持部５の左右のエッジ１１、１１間の幅寸法よりも大きくなるため、上記把持爪部２５、２５間のスペースに上記被把持部５が進入できるようになっている。
一方、一対の押圧部１７、１７の外径は、それぞれの螺旋状係合面３１、３１を係合・当接させた最も小さな寸法になっているから、第２プロファイル９の内周面２９に押圧部１７、１７の外周面１９、１９を当接させることなく、円滑に押圧部１７を第２プロファイル９の一端面からその内部に向けて挿入できるようになっている。
【００２３】
（Ｂ）連結・固定時（図９（ｂ）及び図１０（ｂ）参照）
上述したように第１プロファイル７と第２プロファイル９を本実施の形態のプロファイル用コネクタ１を利用して組み付けた状態のものを連結・固定する場合には、図９（ｂ）及び図１０（ｂ）に示すように、ボルト４２とナット４３を締結して本実施の形態のプロファイル用コネクタ１を連結・固定状態にする。
【００２４】
連結・固定状態は、一対のコネクタ要素２３、２３の頭部２７、２７の対向・配置されているそれぞれの分割面３３、３３を当接させた図９（ｂ）に示す状態であり、この状態では上記分割面３３、３３を挟んでその反対側に位置している上記押圧部１７、１７の外周面１９、１９がそれぞれ所定の張出し量Ｔ、外方に突出して、図１０（ｂ）に示すように、対向・配置されている一対の螺旋状係合面３１、３１が離間した状態になっている。  
尚、上記張出し量Ｔは、第１プロファイル７と第２プロファイル９の形状や大きさの違い等によって適宜調整されるが、本実施の形態では、一例として当該張出し量Ｔを０．８ｍｍ程度に設定している。
【００２５】
そして、この状態では、対向・配置されている一対の把持爪部２５、２５はＣ方向に接近するため、第１プロファイル７の被把持部５の左右のエッジ１１、１１に係合して当該被把持部５を外方から把持することで第１プロファイル７と本実施の形態のプロファイル用コネクタ１の連結・固定が図られる。  
一方、対向・配置されている一対の押圧部１７、１７はＤ方向Ｄに離間するため、一対の押圧部１７、１７の外周面１９、１９に形成されている係合凸部２１、２１が第２プロファイル９の内周面２９に形成されている係合凹部１３、１３内に進入して両者の係合状態が形成される。
【００２６】
さらに、一対の押圧部１７、１７がＤ方向に離間すると、一対の押圧部１７、１７の外周面１９、１９が第２プロファイル９の内周面２９に当接して第２プロファイル９を内方から押し拡げるようにして把持し、それによって、第２プロファイル９と本実施の形態のプロファイル用コネクタ１の連結・固定が図られる。
【００２７】
（３）プロフィル用コネクタの効果
そして、このようにして構成される本実施の形態のプロファイル用コネクタ１によれば、第１プロファイル７と第２プロファイル９の双方で高い把持力が発揮されて、第１プロファイル７と第２プロファイル９の不用意な連結・固定状態の解除が防止される。  
又、一対の押圧部１７、１７が頭部２７に一体に設けられており、又、押圧部１７、１７は、基端面５１から終端面５３に至るまで螺旋状に形成された螺旋状係合面３１を備えた形状になっていて、基端面５１の首部の横断面積はもとよりそこから終端面５３に至るまで均一であって十分な機械的強度を備えた大きさ（半円形）の横断面形状となっているので、破損のおそれのない耐久性に優れたプロファイル用コネクタ１が提供できるようになる。
因みに、従来の場合には、前述したように、首部の横断面形状が１／４円の大きさになっているために、十分な機械的強度を得ることができないという事情があった。
又、押圧部１７、１７には係合凸部２１、２１が設けられていて、一方、第２プロフィル９の内周面側には係合凹部１３、１３が設けられていて、係合凸部２１、２１が係合凹部１３、１３に係合する構成になっているのまで、単に押し付ける場合に比べて、第２プロファイル９の回転を確実に規制できる等、より強固な締結・固定状態を得ることができる。
【００２８】
尚、本発明は、前記一実施の形態に限定されるものではない。  
例えば、本発明のプロファイル用コネクタ１の形状や大きさは、適用する第１プロファイル７と第２プロファイル９の形状や大きさ等に対応して種々変更することが可能であり、第１プロファイル７と第２プロファイル９が角パイプや多角形パイプ状のものであれば、本発明のプロファイル用コネクタ１の押圧部１７を角柱形状や多角柱形状に変更することが可能である。  
又、把持爪部２５の形状や大きさは、適用する被把持部５の形状や大きさ等に対応して種々変更することが可能であり、係合凸部２１の形状や大きさ、個数はね適用する係合凹部の形状や大きさ、個数等に対応して種々変更することが可能である。
又、上記係合凸部２１を有しない押圧部１７を採用することも可能である。
その他、図示した構成はあくまで一例である。
【産業上の利用可能性】
【００２９】
本発明は、中空状をなす第１プロファイルに中空状をなす第２プロファイルを垂直に当接させた状態で連結・固定するプロファイル用コネクタの製造、使用分野等で利用でき、特に高い保持力と安全性及び耐久性とを兼ね備えたプロファイル用コネクタを提供したい場合に利用可能性を有する。
【符号の説明】
【００３０】
１  プロファイル用コネクタ
３  外周面
５  被把持部
７  第１プロファイル
９  第２プロファイル
１１  エッジ
１３  係合凹部
１７  押圧部
１９  外周面
２１  係合凸部
２３  コネクタ要素
２５  把持爪部
２７  頭部
２９  内周面
３１  螺旋状係合面
３３  分割面
３５  外表面
３７  上端面
３９  下端面
４１  締結手段
４２  ボルト
４２ａ  軸部
４２ｂ  頭部
４３  ナット
４５  取付け穴
４７  収容凹部
４９  凸部
５１  基端面
５３  終端面
Ｙ  軸方向
Ｃ  接近方向
Ｄ  離反方向
Ｔ  張出し量
Ｓ  隙間
【図１】
2014084926.tif 000003
【図２】
2014084926.tif 000004
【図３】
2014084926.tif 000005
【図４】
2014084926.tif 000006
【図５】
2014084926.tif 000007
【図６】
2014084926.tif 000008
【図７】
2014084926.tif 000009
【図８】
2014084926.tif 000010
【図９】
2014084926.tif 000011
【図１０】
2014084926.tif 000012
【図１１】
2014084926.tif 000013
【図１２】
2014084926.tif 000014
【図１３】
2014084926.tif 000015